(57)【特許請求の範囲】
【請求項１】
下方に開口した凹状の上レールに沿って摺動する戸首部材と、床面に設けられた下レールに沿って走行する走行部材とを備える引戸において、前記戸首部材は引戸本体の上端部略全長に亘ってこの引戸本体とは別体に設けられるとともに、その長手方向の両端部にて下方に延設する固定片を有し、前記戸首部材が前記上レールに嵌挿された状態で、前記引戸本体の上端部がその表裏方向に移動されて前記両固定片間に挿入され、この両固定片が前記引戸本体の両側端面にネジで固定されることにより、前記引戸本体の上端部と前記戸首部材とが結合されるようになしたものであり、前記戸首部材は、引戸本体の上端部に取り付けられる基体部と、上レールに嵌挿される戸首部と、で一体となっており、この戸首部は、その長手方向の長さが前記引戸本体の上端部の略全長とされ、その幅方向の長さは上記上レールの略溝幅とされ、その高さ方向の長さは前記上レールの溝の深さとほぼ一致するかもしくはやや長めとされており、前記基体部は、その長手方向の長さが前記引戸本体の上端部の略全長とされ、その幅方向の長さは前記戸首部の幅とほぼ一致するかもしくはやや長めとされ、その長手方向の両端部に前記固定片を有しており、前記戸首部が前記上レールの溝に嵌挿された状態で、前記基体部の長手方向の両端部で各々下方に延設された両固定片間に、前記引戸本体の上端部がその表裏方向に挿入されて、両固定片が前記引戸本体の両側端面にネジで固定されるようになしたことを特徴とする引戸。
【請求項２】
前記基体部は帯状金属板で形成されてその長手方向の両端部に下方へ折曲した前記固定片を有し、同基体部の上面にて前記戸首部が固着されていることを特徴とする請求項１に記載の引戸。
【請求項３】
請求項１又は２記載の引戸の施工方法であって、戸首部材を上レールに嵌挿し、その後、引戸本体の上端部を表裏方向に移動させて両固定片間に挿入し、この両固定片を前記引戸本体の両側端面にネジで固定することにより、前記引戸本体の上端部と前記戸首部材とを結合することを特徴とする引戸の施工方法。
【発明の詳細な説明】
【技術分野】
【０００１】
本願発明は、下方に開口した凹状の上レールに沿って摺動する戸首部材と、床面に設けられた下レールに沿って走行する走行部材とを備える引戸に関するものである。
【背景技術】
【０００２】
従来から、図４に示されるように、床面３から天井面１７に亘る引戸が知られている。この引戸は、引戸本体６と、戸首部材２と、走行部材５とを備えている。
【０００３】
この場合、戸首部材２は、天井面１７に設けられた凹状の上レール１に挿入され、走行部材５は、床面３に設けられた凹状の下レール４に装着されるようになっている。
【０００４】
したがって、一般的にこのような引戸の全高Ｌは、床面３から天井面１７までの高さＨよりも高く形成され、戸首部材２を上レール１に挿入した後、走行部材５を下レール４に装着して施工する。
【０００５】
なお、特開平８−２９６３７７号公報に示されるように、引戸を閉じた状態において、引戸とこの引戸の配される枠との間の隙間を塞ぐことのできる進退自在な気密部材を有する引戸は知られている。この引戸は、図５に示すように、引戸本体６の上端部７に気密部材２１を備えている。
【特許文献１】特開平８−２９６３７７号公報
【発明の開示】
【発明が解決しようとする課題】
【０００６】
しかしながら、上記従来の一般的な引戸では、上述したような施工方法を採るために、戸首部材２と上レール１との間にのみ込み代となる余裕が必要となり、引戸の全高Ｌをできるだけ低くし、戸首部材２の幅Ｎを上レール１の幅より狭くすることが行なわれる。そのため、戸首部材２の上レール１への挿入部分の長さＭが短く引戸が外れやすいうえ、引戸の表裏方向でガタツキが生じるという問題があった。また、引戸を上レール１へ挿入する際に引戸を斜めにすることから、引戸本体６の上端部７と天井面１７との間に余裕が必要となる。したがって、戸首部材２と上レール１との上下方向及び表裏方向の隙間や引戸本体６の上端部７と天井面１７との間の隙間から明かりがもれるという問題があった。
【０００７】
また、上記気密部材２１を有する引戸は、引戸が完全に閉まった状態で気密部材２１と上レール１との隙間を塞ぐものであるから、引戸の開閉時には隙間が発生してしまう。
【０００８】
本願発明は、上記背景技術に鑑みてなしたものであり、その目的は、天井面と引戸との間の隙間を防止し、外観を良好に保つことができる引戸及び同引戸の施工方法を提供することである。
【課題を解決するための手段】
【０００９】
上記課題を解決するために、本願請求項１記載の発明は、下方に開口した凹状の上レールに沿って摺動する戸首部材と、床面に設けられた下レールに沿って走行する走行部材とを備える引戸において、前記戸首部材は引戸本体の上端部略全長に亘ってこの引戸本体とは別体に設けられるとともに、その長手方向の両端部にて下方に延設する固定片を有し、前記戸首部材が前記上レールに嵌挿された状態で、前記引戸本体の上端部がその表裏方向に移動されて前記両固定片間に挿入され、この両固定片が前記引戸本体の両側端面にネジで固定されることにより、前記引戸本体の上端部と前記戸首部材とが結合されるようになしたものであり、前記戸首部材は、引戸本体の上端部に取り付けられる基体部と、上レールに嵌挿される戸首部と、で一体となっており、この戸首部は、その長手方向の長さが前記引戸本体の上端部の略全長とされ、その幅方向の長さは上記上レールの略溝幅とされ、その高さ方向の長さは前記上レールの溝の深さとほぼ一致するかもしくはやや長めとされており、前記基体部は、その長手方向の長さが前記引戸本体の上端部の略全長とされ、その幅方向の長さは前記戸首部の幅とほぼ一致するかもしくはやや長めとされ、その長手方向の両端部に前記固定片を有しており、前記戸首部が前記上レールの溝に嵌挿された状態で、前記基体部の長手方向の両端部で各々下方に延設された両固定片間に、前記引戸本体の上端部がその表裏方向に挿入されて、両固定片が前記引戸本体の両側端面にネジで固定されるようになしたことを特徴としている。
【００１０】
本願請求項２記載の発明は、上記請求項１記載の引戸において、前記基体部は帯状金属板で形成されてその長手方向の両端部に下方へ折曲した前記固定片を有し、同基体部の上面にて前記戸首部が固着されていることを特徴としている。
【００１１】
本願請求項３記載の発明は、請求項１又は２記載の引戸の施工方法において、戸首部材を上レールに嵌挿し、その後、引戸本体の上端部を表裏方向に移動させて両固定片間に挿入し、この両固定片を前記引戸本体の両側端面にネジで固定することにより、前記引戸本体の上端部と前記戸首部材とを結合することを特徴としている。
【発明の効果】
【００１２】
本願請求項１記載の発明の引戸においては、引戸を取り付ける場合に、まず、別体からなる戸首部材を上レールに嵌挿し、引戸本体を表裏方向から戸首部材の両固定片間に挿入して、戸首部材と結合するようにしたので、のみ込み代となる余裕を戸首部材及び引戸本体の上端部に設ける必要がなく、戸首部材と上レールとの上下方向及び表裏方向の隙間や引戸本体の上端部と天井面との間の隙間を少なくすることができ、明かりもれを効果的に防止することができる。つまり、上レールに戸首部材を深く差し込むことができるので、引戸が上レールから外れるのを防止できるとともに、引戸の表裏方向でガタツキが生じることも防ぐことができる。さらに、引戸本体の側端面にて、戸首部材と引戸本体をネジ固定するものであるから、固定部が引戸の表面及び裏面に露出しないので、外観を良好に保つことができる。
【００１３】
本願請求項２記載の発明の引戸においては、戸首部材を基体部と戸首部とで構成し、基体部をその長手方向の両端部にて下方へ折曲した固定片を有する帯状金属板で形成したので、引戸本体の上端部を補強することができるうえ、戸首部材と引戸本体との結合を強固にすることができる。
【００１４】
本願請求項３記載の発明の引戸の施工方法においては、戸首部材を上レールに嵌挿した後、引戸本体の上端部を表裏方向に移動させて両固定片間に挿入し、この両固定片を引戸本体の両側端面にネジで固定するようにしたので、戸首部材と上レールとの上下方向及び表裏方向の隙間や引戸本体の上端部と天井面との間の隙間を少なくすることができる。さらに、大きく重たい引戸を直接、天井面の上レールに挿入する従来の施工方法とは異なり、走行部材を下レールに装着してから、戸首部材と引戸本体を結合するようにしたので、引戸を天井面の上レールに挿入する煩わしさがなく、施工を容易にすることができる。
【発明を実施するための最良の形態】
【００１５】
図１乃至３は、本願発明の一実施形態である引戸及び同引戸の施工方法を示している。この実施形態の引戸では、下方に開口した凹状の上レール１に沿って摺動する戸首部材２と、床面３に設けられた下レール４に沿って走行する走行部材５とを備える引戸において、前記戸首部材２は引戸本体６の上端部７略全長に亘ってこの引戸本体６とは別体に設けられるとともに、その長手方向の両端部８にて下方に延設する固定片９を有し、前記戸首部材２が前記上レール１に嵌挿された状態で、前記引戸本体６の上端部７がその表裏方向に移動されて前記両固定片９間に挿入され、この両固定片９が前記引戸本体６の両側端面１０にネジ１１で固定されることにより、前記引戸本体６の上端部７と前記戸首部材２とが結合されるようにしてある。この場合、図１に示すように、前記戸首部材２は、引戸本体６の上端部７に取り付けられる基体部１２と、上レール１に嵌挿される戸首部１３とからなり、この基体部１２は帯状金属板で形成されてその長手方向の両端部１４に下方へ折曲した前記固定片９を有し、同基体部１２の上面にて前記戸首部１３が固着されるようにしてある。
【００１６】
以下、この実施形態の引戸を、より具体的詳細に説明する。図２に示すように、引戸は引戸本体６と、引戸本体６の上端部７に後付される戸首部材２と、引戸本体６の下端部１５から突出される走行部材５とを備えている。図１に示すように、戸首部材２は、引戸本体６の上端部７に取り付けられる基体部１２と、上レール１に嵌挿される戸首部１３とからなる。戸首部１３は、木、樹脂、金属などからなり、長手方向の長さは引戸本体６の上端部７の略全長とし、幅方向の長さは上レール１の略溝幅とし、高さ方向の長さは上レール１の溝の深さとほぼ一致するかもしくは、やや長めとし、引戸本体６とは別体に設けられている。基体部１２は、帯状金属板で形成され、長手方向の長さは引戸本体６の上端部７の略全長とし、幅方向の長さは戸首部１３の幅とほぼ一致するかもしくは、やや長めとし、長手方向の両端部１４で下方へ折曲した固定片９を有している。固定片９にはネジ穴１６が形成され、引戸本体６の両側端面１０とネジ１１で固定される。ここで、基体部１２と戸首部１３は基体部１２の長手方向に沿ってネジで固定されているが、これに限定されるものではなく、例えば、基体部１２と戸首部１３の接触面を接着剤で固定したり、あるいは、基体部１２と戸首部１３を一体成形したりしてもよい。また、基体部１２と戸首部１３は工場等で予め固定して、一体の戸首部材２としておく。
【００１７】
走行部材５は、引戸本体６の下端部１５に設けられる複数個の戸車である。なお、本実施形態の走行部材５は戸車としているが、引戸本体６の下端部１５の略全長に亘って引戸本体６と一体に凸状部として設けるものであってもよい。
【００１８】
さらに、本実施形態の引戸の施工方法について説明する。引戸を取り付ける場合には、図３（ａ）に示すように、戸首部材２を上レール１に嵌挿するとともに、引戸本体６を表裏方向に傾け、走行部材５を下レール４に装着する。次に、図３（ｂ）に示すように、引戸本体６を引き起こし、引戸本体６の上端部７を両固定片９間に挿入する。引戸本体６の上端部７が水平となり、戸首部材２の真下にきたら、戸首部材２を上レール１からわずかに退出させ、引戸本体６の上端部７に当接させる。そして、図３（ｃ）に示すように、両固定片９に設けられたネジ穴１６を介して、固定片９と引戸本体６の両側端面１０をネジ１１で固定することにより、引戸本体６の上端部７と戸首部材２とを結合させる。逆に、引戸を取り外す場合には、まず、引戸本体６の両側端面１０に取り付けられたネジ１１を外し、戸首部材２を上レール１に嵌挿したまま、両固定片９間から引戸本体６を表裏方向に傾け、戸首部材２と引戸本体６を引き離す。次に、走行部材５を下レール４から外すとともに、戸首部材２を上レール１から退出させる。なお、走行部材５を下レール４に装着してから戸首部材２を上レール１に嵌挿したり、戸首部材２を上レール１から退出させてから走行部材５を下レール４から外したりしてもよい。
【００１９】
したがって、引戸を取り付ける場合に、まず、別体からなる戸首部材２を上レール１に嵌挿し、引戸本体６を表裏方向から戸首部材２の両固定片９間に挿入して、戸首部材２と結合するようにしたので、のみ込み代となる余裕を戸首部材２及び引戸本体６の上端部７に設ける必要がなく、戸首部材２と上レール１との上下方向及び表裏方向の隙間や引戸本体６の上端部７と天井面１７との間の隙間を少なくすることができ、明かりもれを効果的に防止することができる。つまり、上レール１に戸首部材２を深く差し込むことができるので、引戸が上レール１から外れるのを防止できるとともに、引戸の表裏方向でガタツキが生じることも防ぐことができる。さらに、引戸本体６の側端面１０にて、戸首部材２と引戸本体６をネジ固定するものであるから、固定部が引戸の表面及び裏面に露出しないので、外観を良好に保つことができる。加えて、戸首部材２を基体部１２と戸首部１３とで構成し、基体部１２をその長手方向の両端部１４にて下方へ折曲した固定片９を有する帯状金属板で形成したので、引戸本体６の上端部７を補強することができるうえ、戸首部材２と引戸本体６との結合を強固にすることができる。また、大きく重たい引戸を直接、天井面１７の上レール１に挿入する従来の施工方法とは異なり、走行部材５を下レール４に装着してから、戸首部材２と引戸本体６を結合するようにしたので、引戸を天井面１７の上レール１に挿入する煩わしさがなく、施工を容易にすることができる。
【００２０】
なお、上記実施形態では、天井面１７と引戸の隙間について説明したが、本願発明は鴨居と引戸の隙間についても適用可能である。
【図面の簡単な説明】
【００２１】
【図１】本願発明の一実施形態である引戸の斜視図であって、（ａ）は引戸の要部、（ｂ）は基体部と戸首部とからなる戸首部材をそれぞれ示している。
【図２】同引戸の全体概略を示す断面図。
【図３】同引戸の施工方法を示す斜視図であって、（ａ）は戸首部材を上レールに嵌挿する工程、（ｂ）は引戸本体の上端部を両固定片間に挿入する工程、（ｃ）は固定片と引戸本体の側端面をネジで固定する工程をそれぞれ示している。
【図４】従来例である引戸の取り付け状態を示した断面図。
【図５】従来例である気密部材を有する引戸を示した斜視図であって、（ａ）は引戸が非閉状態、（ｂ）は引戸が閉状態の要部をそれぞれ示している。
【符号の説明】
【００２２】
１  上レール
２  戸首部材
３  床面
４  下レール
５  走行部材
６  引戸本体
７  上端部
８  端部
９  固定片
１０  側端面
１１  ネジ
１２  基体部
１３  戸首部
１４  端部
【図１】
0005109621.tif 000002
【図２】
0005109621.tif 000003
【図３】
0005109621.tif 000004
【図４】
0005109621.tif 000005
【図５】
0005109621.tif 000006